(57)【要約】      （修正有）【課題】高濃度水溶液等を長期間保存した場合でも安定であり、印字された画像の濃度が高く、高濃度溶液を印字した画像にブロンジングを生じず、該画像の堅牢性に優れた黒色の記録画像を与える黒色インク組成物の提供。【解決手段】少なくとも、下記式（１）で表される色素（Ｉ）又はその塩を、色素として含有する黒色インク組成物。2010007019.tif 000027［式中、破線で表される環Ａ乃至Ｄはベンゼン環又は含窒素ヘテロ環であり、基Ｅはアルキレン、Ｘは、スルホ置換アニリノ基等、Ｙはアミノ基等である。］【選択図】なし【特許請求の範囲】
【請求項１】
少なくとも、下記式（１）で表される色素（Ｉ）又はその塩を、色素として含有する黒色インク組成物、
【化１】
2010007019.tif 000023
［式（１）中、
破線で表される環Ａ乃至Ｄの４つの環は、それぞれ独立にベンゼン環又は含窒素ヘテロ環であり、平均値で含窒素へテロ環が０．２以上３．０以下であり、残りがベンゼン環であり、
基Ｅはアルキレンを表し、
Ｘは、スルホ置換アニリノ基、カルボキシ置換アニリノ基又はホスホノ置換アニリノ基であり、該３種類のアニリノ基は、さらにスルホ基；カルボキシ基；ホスホノ基；スルファモイル基；カルバモイル基；ヒドロキシ基；アルコキシ基；アミノ基；アルキルアミノ基；ジアルキルアミノ基；アリールアミノ基；ジアリールアミノ基；アセチルアミノ基；ウレイド基；アルキル基；ニトロ基；シアノ基；ハロゲン原子；アルキルスルホニル基；及びアルキルチオ基；より成る群から選択される１種又は２種以上の置換基を有していてもよく、
Ｙはヒドロキシ基又はアミノ基を表し、
ａ及びｂの和は、平均値で０から３．７であり、
ｃは平均値で０．１から３．８であり、
且つａ、ｂ、ｃの総和は平均値で１．０から３．８である。］。
【請求項２】
式（１）における破線で表される環Ａ乃至Ｄの４つの環が、それぞれ独立にベンゼン環又は含窒素ヘテロ環であり、平均値で含窒素へテロ環が１．０以上３．０以下であり、残りがベンゼン環である、請求項１に記載の黒色インク組成物。
【請求項３】
少なくとも色素（Ｉ）又はその塩を色素として含有し、さらに、下記式（２）で表される色素（ＩＩ）又はその塩、又は下記式（３）で表される色素（ＩＩＩ）又はその塩のいずれか１種を、色素として含有する請求項１又は２に記載の黒色インク組成物、
【化２】
2010007019.tif 000024
[式（２）中、
基Ａはフェニル基であり、カルボキシ基；スルホ基；塩素原子；シアノ基；ニトロ基；スルファモイル基；非置換Ｃ１−Ｃ４アルキル基；非置換、又は、ヒドロキシ基、Ｃ１−Ｃ４アルコキシ基、スルホ基及びカルボキシ基よりなる群から選択される置換基を有するＣ１−Ｃ４アルコキシ基；及び、非置換、又は、ヒドロキシ基、スルホ基及びカルボキシ基よりなる群から選択される置換基を有するＣ１−Ｃ４アルキルスルホニル基；よりなる群から選択される置換基を有し、
基Ｂ及び基Ｃはパラフェニレン基であり、カルボキシ基；スルホ基；非置換Ｃ１−Ｃ４アルキル基；非置換、又は、ヒドロキシ基、Ｃ１−Ｃ４アルコキシ基、スルホ基及びカルボキシ基よりなる群から選択される置換基を有するＣ１−Ｃ４アルコキシ基；よりなる群から選択される置換基を有し、
Ｒ1は、非置換、又はカルボキシ置換Ｃ１−Ｃ４アルキル基；非置換、又はスルホ置換フェニル基；又はカルボキシ基；を、
Ｒ2は、シアノ基；カルバモイル基；又はカルボキシ基；を、
Ｒ3およびＲ4は、それぞれ独立して水素原子；メチル基；塩素原子；又はスルホ基；を、それぞれ表す。]、
【化３】
2010007019.tif 000025
［式（３）中、
Ｒaは、水素原子；ヒドロキシ基；カルボキシ基；非置換、又は、ヒドロキシ基又はＣ１−Ｃ４アルコキシ基によって置換されたＣ１−Ｃ４アルキル基；非置換、又は、ヒドロキシ基、Ｃ１−Ｃ４アルコキシ基又はヒドロキシＣ１−Ｃ４アルコキシ基によって置換されたＣ１−Ｃ４アルコキシ基；非置換、又は、ヒドロキシ基又はＣ１−Ｃ４アルコキシ基によって置換されたＣ１−Ｃ４アルキルアミノ基；カルボキシ置換Ｃ１−Ｃ５アルキルアミノ基；ビス−（カルボキシ置換Ｃ１−Ｃ５アルキル）アミノ基；非置換、又は、ヒドロキシ基又はＣ１−Ｃ４アルコキシ基によって置換されたＣ１−Ｃ４アルカノイルアミノ基；非置換、又は、ベンゼン環がカルボキシ基、スルホ基及びアミノ基よりなる群から選択される基で置換されたフェニルアミノ基；スルホ基；ハロゲン原子；又はウレイド基；を、
Ｚはカルボキシ基又はスルホ基を有する脂肪族アミノ基を、それぞれ表す。］。
【請求項４】
少なくとも色素（Ｉ）又はその塩、色素（ＩＩ）又はその塩、色素（ＩＩＩ）又はその塩の３種の色素を、色素として含有する請求項１乃至３のいずれか一項に記載の黒色インク組成物。
【請求項５】
式（１）で表される色素（Ｉ）又はその塩において、環Ａ乃至Ｄにおける含窒素ヘテロ環がピラジン環である、請求項１乃至４のいずれか一項に記載の黒色インク組成物。
【請求項６】
式（１）で表される色素（Ｉ）又はその塩において、
Ｘが、スルホ基；カルボキシ基；ヒドロキシ基；非置換Ｃ１−Ｃ４アルコキシ基；ニトロ基；ハロゲン原子；より成る群から選択される１種又は２種の置換基で置換されていてもよい、スルホ置換アニリノ基、カルボキシ置換アニリノ基、又はホスホノ置換アニリノ基の３種のアニリノ基のいずれかである、請求項１乃至５のいずれか一項に記載の黒色インク組成物。
【請求項７】
式（３）で表される色素（ＩＩＩ）又はその塩が、下記式（７）で表される色素又はその塩である、請求項２乃至６のいずれか一項に記載の黒色インク組成物、
【化７】
2010007019.tif 000026
［式（７）中、Ｚは式（３）におけるのと同じ意味を有する。］。
【請求項８】
インク中に含有する色素の総質量中、色素（Ｉ）が５０〜８０質量％、色素（ＩＩ）が５〜３０質量％、色素（ＩＩＩ）が５〜２５質量％である請求項４乃至７のいずれか一項に記載の黒色インク組成物。
【請求項９】
請求項１乃至８のいずれか一項に記載の黒色インク組成物をインクとして用い、該インクのインク滴を記録信号に応じて吐出させて被記録材に付着させることにより記録を行うインクジェット記録方法。
【請求項１０】
被記録材が、情報伝達用シートである請求項９に記載のインクジェット記録方法。
【請求項１１】
情報伝達用シートが、普通紙又は多孔性白色無機物を含有するインク受容層を有するシートである請求項１０に記載のインクジェット記録方法。
【請求項１２】
請求項１乃至８のいずれか一項に記載の黒色インク組成物により着色された着色体。
【請求項１３】
着色がインクジェットプリンターによりなされた請求項１２に記載の着色体。
【請求項１４】
請求項１乃至８のいずれか一項に記載の黒色インク組成物を含有する容器が装填されたインクジェットプリンター。
【発明の詳細な説明】
【技術分野】
【０００１】
本発明は、少なくとも下記式（１）で表される色素（Ｉ）又はその塩を、色素として含有する黒色インク組成物、該インク組成物を用いたインクジェット記録方法及び該インク組成物によって着色された着色体に関する。
【背景技術】
【０００２】
各種のカラー記録方法の中でも代表的方法の一つであるインクジェットプリンターによる記録方法は、インクの小滴を発生させ、これを種々の被記録材（紙、フィルム、布帛等）に付着させ記録を行うものである。この方法は、記録ヘッドと被記録材とが接触しないため音の発生が少なく静かであり、また小型化、高速化が容易という特長の為、近年急速に普及しつつあり、今後とも大きな伸長が期待されている。従来、万年筆、フェルトペン等のインク及びインクジェット記録用インクとしては、水溶性色素を水性媒体中に溶解した水性インクが使用されており、これらの水溶性インクにおいてはペン先やインク吐出ノズルでのインクの目詰まりを防止すべく一般に水溶性有機溶剤が添加されている。この為、これらのインクにおいては、十分な濃度の記録画像を与えること、ペン先やノズルの目詰まりを生じないこと、被記録材上での乾燥性がよいこと、滲みが少ないこと、保存安定性に優れること、印刷画像においてブロンズ性が起こりにくいこと等が要求され、それ故に水溶性色素には特に水への溶解度が高いこと、インクに添加される水溶性有機溶剤への溶解度が高いことが要求される。更に、形成される画像には耐水性、耐光性、耐酸化性ガス性、耐湿性等の画像堅牢性が求められている。
【０００３】
耐酸化性ガス性とは、通常耐ガス性等とも呼ばれるが、これは空気中に存在する酸化作用を持つガスが記録紙中で色素と反応し、印刷された画像を変退色させるという現象に対する耐性のことである。この種の作用を持つ酸化性ガスとしては、オゾンガス、ＮＯｘ，ＳＯｘ等が挙げられるが、これらの酸化性ガスのうちでもオゾンガスは、インクジェット記録画像の変退色現象を促進させる主原因物質とされており、これらの耐酸化性ガス性の程度を知る為の加速試験にはオゾンガスが用いられている。このような酸化性ガスによる変退色現象はインクジェット画像に特徴的なものであるため、耐酸化ガス性、特に耐オゾンガス性の向上はより重要な課題となっている。特に、写真画質インクジェット専用紙の表面に設けられるインク受容層には、インクの乾燥を早め、また高画質でのにじみを少なくする為に、白色無機顔料等による多孔質の材料を用いているものが多く、このような記録紙上でオゾンガスによる画像の変退色が顕著に見られる。
【０００４】
今後、インクジェット記録を用いた印刷方法の使用分野を拡大すべく、インクジェット記録用に用いられるインク組成物及びそれによって着色された着色体には、耐水性、耐光性、耐湿性、耐オゾンガス性等の各種堅牢性の更なる向上が強く求められている。
【０００５】
種々の色相のインクが種々の色素から調製されているが、それらのうち黒色インクは、文字情報をプリントする用途のみならず、カラー画像においても用いられる重要なインクである。しかし、濃色域と淡色域とが共にニュートラルな色相で、且つ色濃度が高く、さらに、色相の光源依存性が小さい良好な黒色を呈する色素の開発は技術的に困難な点が多く、多大な研究開発が行われているがまだ十分な性能を有するものが少ない。その為、一般には複数の多様な色素を混合して黒色インクを調製することが行われている。しかし、複数の色素を混合してインクを調製すると、単一の色素でインクを調製した場合に比べて、１）メディア（被記録材）によって色相が異なる、２）光やオゾンガスによる色素の分解によって特に変色が大きくなる、等の問題がある。
【０００６】
印刷物の各種耐久性が良好なインクジェット用黒色インク組成物としては、例えば特許文献１に開示された、３種類の色素を配合したニュートラルな色相を有する黒色インク組成物が提案されている。このインク組成物は色相が黒色として非常に良好であり、印刷物の画像堅牢性についても大きく改良がなされたインク組成物とされる。
また特許文献３にはフタロシアン系色素を配合した黒色インク組成物も提案されている。このインク組成物は色相が黒色として非常に良好であり、印刷物の画像堅牢性についても従来のものより改良がなされているが、これらのインク組成物は共に、耐光性と耐オゾンガス性について更なる改善が要望されており、未だ市場の要求を充分に満足するには至っていない。
【０００７】
【特許文献１】ＷＯ２００７／０７７９３１号
【特許文献２】ＷＯ２００６／００１２７４号
【特許文献３】特開２００３−７３５９６号公報
【発明の開示】
【発明が解決しようとする課題】
【０００８】
本発明は、濃色及び淡色印刷時のいずれにおいても色味のないニュートラルな黒〜グレー色を呈し、印字された画像の濃度が高く、メディア毎の色相に変化が無く、印字後の耐水性、耐光性、耐湿性等の各種堅牢性、特に耐オゾンガス性と耐光性に非常に優れた黒色の記録画像を与え、且つ長期間保存した場合でも安定な水性黒色インク組成物を提供する事を目的とする。
【課題を解決するための手段】
【０００９】
本発明者等は前記課題を解決すべく、鋭意検討の結果、少なくとも特定の下記式（１）で表される色素（Ｉ）又はその塩を、色素として含有するインク組成物が前記課題を解決するものであることを見出し、本発明を完成させた。
即ち、本発明は、
１）
少なくとも、下記式（１）で表される色素（Ｉ）又はその塩を、色素として含有する黒色インク組成物、
【００１０】
【化１】
2010007019.tif 000002
【００１１】
［式（１）中、
破線で表される環Ａ乃至Ｄの４つの環は、それぞれ独立にベンゼン環又は含窒素ヘテロ環であり、平均値で含窒素へテロ環が０．２以上３．０以下であり、残りがベンゼン環であり、
基Ｅはアルキレンを表し、
Ｘは、スルホ置換アニリノ基、カルボキシ置換アニリノ基又はホスホノ置換アニリノ基であり、該３種類のアニリノ基は、さらにスルホ基；カルボキシ基；ホスホノ基；スルファモイル基；カルバモイル基；ヒドロキシ基；アルコキシ基；アミノ基；アルキルアミノ基；ジアルキルアミノ基；アリールアミノ基；ジアリールアミノ基；アセチルアミノ基；ウレイド基；アルキル基；ニトロ基；シアノ基；ハロゲン原子；アルキルスルホニル基；及びアルキルチオ基；より成る群から選択される１種又は２種以上の置換基を有していてもよく、
Ｙはヒドロキシ基又はアミノ基を表し、
ａ及びｂの和は、平均値で０から３．７であり、
ｃは平均値で０．１から３．８であり、
且つａ、ｂ、ｃの総和は平均値で１．０から３．８である。］、
２）
式（１）における破線で表される環Ａ乃至Ｄの４つの環が、それぞれ独立にベンゼン環又は含窒素ヘテロ環であり、平均値で含窒素へテロ環が１．０以上３．０以下であり、残りがベンゼン環である、上記１）に記載の黒色インク組成物、
３）
少なくとも色素（Ｉ）又はその塩を色素として含有し、さらに、下記式（２）で表される色素（ＩＩ）又はその塩、又は下記式（３）で表される色素（ＩＩＩ）又はその塩のいずれか１種を、色素として含有する上記１）又は２）に記載の黒色インク組成物、
【００１２】
【化２】
2010007019.tif 000003
【００１３】
[式（２）中、
基Ａはフェニル基であり、カルボキシ基；スルホ基；塩素原子；シアノ基；ニトロ基；スルファモイル基；非置換Ｃ１−Ｃ４アルキル基；非置換、又は、ヒドロキシ基、Ｃ１−Ｃ４アルコキシ基、スルホ基及びカルボキシ基よりなる群から選択される置換基を有するＣ１−Ｃ４アルコキシ基；及び、非置換、又は、ヒドロキシ基、スルホ基及びカルボキシ基よりなる群から選択される置換基を有するＣ１−Ｃ４アルキルスルホニル基；よりなる群から選択される置換基を有し、
基Ｂ及び基Ｃはパラフェニレン基であり、カルボキシ基；スルホ基；非置換Ｃ１−Ｃ４アルキル基；非置換、又は、ヒドロキシ基、Ｃ１−Ｃ４アルコキシ基、スルホ基及びカルボキシ基よりなる群から選択される置換基を有するＣ１−Ｃ４アルコキシ基；よりなる群から選択される置換基を有し、
Ｒ1は、非置換、又はカルボキシ置換Ｃ１−Ｃ４アルキル基；非置換、又はスルホ置換フェニル基；又はカルボキシ基；を、
Ｒ2は、シアノ基；カルバモイル基；又はカルボキシ基；を、
Ｒ3およびＲ4は、それぞれ独立して水素原子；メチル基；塩素原子；又はスルホ基；を、それぞれ表す。]、
【００１４】
【化３】
2010007019.tif 000004
【００１５】
［式（３）中、
Ｒaは、水素原子；ヒドロキシ基；カルボキシ基；非置換、又は、ヒドロキシ基又はＣ１−Ｃ４アルコキシ基によって置換されたＣ１−Ｃ４アルキル基；非置換、又は、ヒドロキシ基、Ｃ１−Ｃ４アルコキシ基又はヒドロキシＣ１−Ｃ４アルコキシ基によって置換されたＣ１−Ｃ４アルコキシ基；非置換、又は、ヒドロキシ基又はＣ１−Ｃ４アルコキシ基によって置換されたＣ１−Ｃ４アルキルアミノ基；カルボキシ置換Ｃ１−Ｃ５アルキルアミノ基；ビス−（カルボキシ置換Ｃ１−Ｃ５アルキル）アミノ基；非置換、又は、ヒドロキシ基又はＣ１−Ｃ４アルコキシ基によって置換されたＣ１−Ｃ４アルカノイルアミノ基；非置換、又は、ベンゼン環がカルボキシ基、スルホ基及びアミノ基よりなる群から選択される基で置換されたフェニルアミノ基；スルホ基；ハロゲン原子；又はウレイド基；を、
Ｚはカルボキシ基又はスルホ基を有する脂肪族アミノ基を、それぞれ表す。］、
４）
少なくとも色素（Ｉ）又はその塩、色素（ＩＩ）又はその塩、色素（ＩＩＩ）又はその塩の３種の色素を、色素として含有する上記１）乃至３）のいずれか一項に記載の黒色インク組成物、
５）
式（１）で表される色素（Ｉ）又はその塩において、環Ａ乃至Ｄにおける含窒素ヘテロ環がピラジン環である、上記１）乃至４）のいずれか一項に記載の黒色インク組成物、
６）
式（１）で表される色素（Ｉ）又はその塩において、
Ｘが、スルホ基；カルボキシ基；ヒドロキシ基；非置換Ｃ１−Ｃ４アルコキシ基；ニトロ基；ハロゲン原子；より成る群から選択される１種又は２種の置換基で置換されていてもよい、スルホ置換アニリノ基、カルボキシ置換アニリノ基、又はホスホノ置換アニリノ基の３種のアニリノ基のいずれかである、上記１）乃至５）のいずれか一項に記載の黒色インク組成物、
７）
式（３）で表される色素（ＩＩＩ）又はその塩が、下記式（７）で表される色素又はその塩である、上記２）乃至６）のいずれか一項に記載の黒色インク組成物、
【００１６】
【化７】
2010007019.tif 000005
【００１７】
［式（７）中、Ｚは式（３）におけるのと同じ意味を有する。］、
８）
インク中に含有する色素の総質量中、色素（Ｉ）が５０〜８０質量％、色素（ＩＩ）が５〜３０質量％、色素（ＩＩＩ）が５〜２５質量％である上記４）乃至７）のいずれか一項に記載の黒色インク組成物、
９）
上記１）乃至８）のいずれか一項に記載の黒色インク組成物をインクとして用い、該インクのインク滴を記録信号に応じて吐出させて被記録材に付着させることにより記録を行うインクジェット記録方法、
１０）
被記録材が、情報伝達用シートである上記９）に記載のインクジェット記録方法、
１１）
情報伝達用シートが、普通紙又は多孔性白色無機物を含有するインク受容層を有するシートである上記１０）に記載のインクジェット記録方法、
１２）
上記１）乃至８）のいずれか一項に記載の黒色インク組成物により着色された着色体、
１３）
着色がインクジェットプリンターによりなされた上記１２）に記載の着色体、
１４）
上記１）乃至８）のいずれか一項に記載の黒色インク組成物を含有する容器が装填されたインクジェットプリンター、
に関する。
【発明の効果】
【００１８】
本発明のインク組成物は長期間保存後の固体析出、物性変化、色変化等もなく、貯蔵安定性が良好である。また、本発明のインク組成物は、インクジェット記録用、筆記用具用インクとして用いられ、インクジェット専用紙に記録した場合の記録画像の色相がニュートラルであり、色素濃度が低いインクとした場合でも黒色の印字物が得られる、また印字濃度が高く、耐水性、耐光性、耐湿性等の各種の堅牢性、特に耐オゾンガス性及び耐光性に優れており、色相の光源依存性も小さい。またマゼンタ、シアン及びイエロー色素と共に用いることで耐光性及び耐水性に優れたフルカラーのインクジェット記録が可能である。このように本発明のインク組成物はインクジェット記録用黒色インクとして極めて有用である。
【発明を実施するための最良の形態】
【００１９】
以下、本発明を詳細に説明する。尚、本明細書において特に断りが無いかぎり、スルホ基及びカルボキシ基等の酸性官能基は遊離酸の形で表し、また「色素又はその塩」は、記載が煩雑となるのを避けるため、便宜上、「色素」と簡略して記載し、該色素又はその塩のいずれをも含むものとする。
【００２０】
本発明の黒色インク組成物は、少なくとも上記式（１）で表される色素（Ｉ）を、色素として含有することを特徴とする。該インク組成物中の色素として色素（Ｉ）のみを含有しても良いが、よりニュートラルで高品質な黒色を得る目的で、任意の調色色素を配合しても良い。
調色色素としては、公知の任意の色素を選択することができるが、本発明のインク組成物には、色素（Ｉ）に加えて、少なくとも上記式（２）で表される色素（ＩＩ）又は上記式（３）で表される色素（ＩＩＩ）のいずれか１種を含有するのが好ましく、その両者を含有するのがより好ましい。
【００２１】
よりニュートラルで高品質な黒色を表現する目的で、本発明の黒色インク組成物中に、上記色素（Ｉ）、色素（ＩＩ）及び色素（ＩＩＩ）の３種の色素を含有させる場合には、該インク組成物中に含有する色素の総質量中において、色素（Ｉ）が５０〜８０質量％、好ましくは５５〜７５質量％、より好ましくは６０〜７０質量％である。色素（ＩＩ）は５〜３０質量％であり、好ましくは１５〜２５質量％である。色素（ＩＩＩ）５〜２５質量％であり、好ましくは１０〜２０質量％である。
【００２２】
更なる微細な調色等を目的として、本発明のインク組成物には上記色素（Ｉ）乃至（ＩＩＩ）以外の他の色素を、本発明の効果を阻害しない範囲でさらに加えてもよい。他の色素を加える場合、加え得る他の色素の量の範囲は、該色素を加える目的等により異なるため、一概に決めることは困難である。しかし、おおよその目安として、インク組成物中に含有する色素の総質量において、色素（Ｉ）乃至（ＩＩＩ）の合計が７０〜９９質量％、これら以外の色素が合計で１〜３０質量％程度がよい。なお、上記の通り、色素（Ｉ）乃至（ＩＩＩ）以外の他の色素は、本発明のインク組成物には加えなくてもよい。
【００２３】
上記式（１）で表される色素（Ｉ）について記載する。
上記式（１）中、破線で表される環Ａ乃至Ｄの４つの環は、それぞれ独立にベンゼン環又は含窒素ヘテロ環であり、平均値で含窒素へテロ環が０．２以上３．０以下であり、残りがベンゼン環である。
【００２４】
前記破線で表される環Ａ乃至Ｄにおける、含窒素ヘテロ環としては、例えば、ピリジン、ピラジン、ピリミジン、ピリダジン等の、含窒素６員複素芳香環が挙げられ、ピリジン又はピラジンが好ましく、ピラジンがより好ましい。これらの環は、複数の種類が混在、例えば環Ａがピリジンで、環Ｂがピラジン等であっても良いが、１分子中における環Ａ乃至Ｄの含窒素ヘテロ環は、同一の種類である方が好ましい。
上記の色素（Ｉ）は、実質的に混合物であるため、環Ａ乃至Ｄのうち、平均値で含窒素へテロ環が０．２以上３．０以下であり、残りはベンゼン環である。従って、環Ａ乃至Ｄのうち、ベンゼン環は、４．０−「含窒素へテロ環の平均値」で計算することができる。すなわち、該ベンゼン環は、平均値で１．０以上３．８以下である。該平均値としては、通常、小数点以下２桁目を四捨五入する。ニュートラルで高品質な黒色を表現する目的で、該含窒素へテロ環は、通常０．２以上３．０以下、好ましくは１．０以上２．８以下、より好ましくは１．０以上２．６以下である。
含窒素ヘテロ環の数が増えるにしたがって耐オゾンガス性は向上するが、ブロンジングは生じやすくなる傾向にあり、含窒素ヘテロ環の個数は耐オゾンガス性とブロンジング性を考慮しながら、適宜調節し、バランスの良い比率を選択すれば良い。
【００２５】
上記式（１）中、基Ｅにおけるアルキレンとしては、通常Ｃ２−Ｃ１２アルキレンがあげられ、好ましくはＣ２−Ｃ６、より好ましくはＣ２−Ｃ４、さらに好ましくはＣ２アルキレンがあげられる。具体例としては、エチレン、プロピレン、ブチレン、ペンチレン、へキシレン、ヘプチレン、オクチレン、ノニレン、デシレン、ウンデシレン、ドデシレン等が挙げられる。好ましいもの等は、これらの中から上記の炭素数の範囲のものである。
【００２６】
上記式（１）中、Ｘは、スルホ置換アニリノ基、カルボキシ置換アニリノ基又はホスホノ置換アニリノ基であり、該３種類のアニリノ基は、さらにスルホ基；カルボキシ基；ホスホノ基；スルファモイル基；カルバモイル基；ヒドロキシ基；アルコキシ基；アミノ基；アルキルアミノ基；ジアルキルアミノ基；アリールアミノ基；ジアリールアミノ基；アセチルアミノ基；ウレイド基；アルキル基；ニトロ基；シアノ基；ハロゲン原子；アルキルスルホニル基；及びアルキルチオ基；より成る群から選択される１種又は２種以上の置換基を有していてもよい。これらのうち、該３種類のアニリノ基がさらに置換基を有する場合の好ましい置換基としては、スルホ基；カルボキシ基；ヒドロキシ基；非置換Ｃ１−Ｃ４アルコキシ基；ニトロ基；ハロゲン原子；より成る群から選択される１種又は２種の置換基が挙げられる。該３種類のアニリノ基が、さらに置換基を有する場合、該置換基の種類は、通常１乃至３、好ましくは１乃至２、より好ましくは１である。また、該置換基の数は、通常１乃至３、好ましくは１乃至２、より好ましくは１である。該３種類のアニリノ基の好ましい具体例としては、２−スルホアニリノ、３−スルホアニリノ、４−スルホアニリノ等のスルホ置換アニリノ基；２，５−ジスルホアニリノ等のスルホ基がさらに１つ置換したスルホ置換アニリノ基；４−エトキシ−２−スルホアニリノ、２−メチル−５−スルホアニリノ、２−メトキシ−４−ニトロ−５−スルホアニリノ、２−クロロ−５−スルホアニリノ、３−カルボキシ−４−ヒドロキシ−５−スルホアニリノ、２−ヒドロキシ−５−ニトロ−３−スルホアニリノ、４−アセチルアミノ−２−スルホアニリノ、４−アニリノ−３−スルホアニリノ、２，５−ジクロロ−４−スルホアニリノ等の、スルホ置換アニリノ基に、上記の群から選択される１乃至２種類及び１乃至２の置換基数の置換基を有するもの；２−カルボキシアニリノ基等のカルボキシ置換アニリノ基；３−カルボキシ−４−ヒドロキシアニリノ基、３，５−ジカルボキシアニリノ、２−カルボキシ−４−スルファモイルアニリノ基等の、カルボキシ置換アニリノ基に、上記の群から選択される１乃至２種類及び置換基数の置換基を有するもの；３−ホスホノアニリノ基等のホスホノ置換アニリノ基；等が挙げられる。該３種類のアニリノ基としては、スルホ置換アニリノ基又はカルボキシ置換アニリノ基が好ましく、スルホ置換アニリノ基がより好ましい。
該３種類のアニリノ基が、さらに置換基を有する場合、好ましい置換基はスルホ、カルボキシ又はヒドロキシであり、より好ましくはスルホ又はカルボキシ、さらに好ましくはスルホである。
【００２７】
Ｙはヒドロキシ基又はアミノ基を表し、アミノ基が好ましい。
【００２８】
上記式（１）中、ａ及びｂの和は、平均値で０から３．７であり、ｃは平均値で０．１から３．８であり、且つａ、ｂ、ｃの総和は平均値で１．０から３．８である。
ａ、ｂ及びｃで、それぞれその置換数を表されるスルホ基、非置換スルファモイル基及び置換スルファモイル基の３種類の置換基は、破線で表される環Ａ乃至Ｄがベンゼン環の場合にのみ、該環Ａ乃至Ｄに置換することができ、破線で表される環Ａ乃至Ｄが含窒素へテロ環の場合には置換しない。
ａで置換数を表されるスルホ基と、ｂで置換数を表される非置換スルファモイル基は、本発明の色素の分析手段として通常用いるＬＣ−Ｍａｓｓでの質量分析では区別することが非常に困難である。このため、本明細書においては該スルホ基及び該非置換スルファモイル基は置換数の和を範囲として示す。
ａ及びｂの和は、通常０から３．７、好ましくは０．８−３．７、より好ましくは１．８−３．６、さらに好ましくは２．８−３．５である。
ｃは、通常０．１−３．８、好ましくは０．１−３．０、より好ましくは０．２−２．０、さらに好ましくは０．３−１．０である。
ｃの数が増えるに従ってブロンジングは生じ難くなるが、耐オゾンガス性は低下する傾向にあるため、ｃの数はブロンジング性と耐オゾンガス性とを考慮しながら、適宜調節し、バランスの良い比率を選択すれば良い。
【００２９】
上記式（１）で表される色素（Ｉ）は、一般にアザフタロシアニン又はポルフィラジン等と呼称され、中心金属が銅であるものは、インクジェット記録用のシアン色素として使用できることが広く知られている。しかし、銅の誘導体を色素として使用した場合、一般に彩度が高くなり過ぎるため、低彩度でニュートラルな黒色の色相を調整するのは困難となる。これに対して、中心金属をニッケルとした場合には、彩度がより０に近くなり、目的とする黒色の色相を表現する場合に好適に使用できる。
また、式（１）における環Ａ乃至Ｄを上記の範囲で含窒素ヘテロ環、好ましくはピラジン環、及び中心金属をニッケルとする組合せにより、さらに彩度が０に近くなるため、この組合せは中心金属が銅であるものよりも、黒色の色相を表現する場合、さらに好適に使用できる。
【００３０】
色素（Ｉ）の調色色素として好ましいものの１つが、上記式（２）で表される色素（ＩＩ）である。
式（２）で表される色素（ＩＩ）は互変異性体の存在することが知られている。どのような互変異性体であっても色素（ＩＩ）として用いることができ、上記式（２）の中に含まれる。
【００３１】
上記式（２）中、基Ａはフェニル基であり、カルボキシ基；スルホ基；塩素原子；シアノ基；ニトロ基；スルファモイル基；非置換Ｃ１−Ｃ４アルキル基；非置換、又は、ヒドロキシ基、Ｃ１−Ｃ４アルコキシ基、スルホ基及びカルボキシ基よりなる群から選択される置換基を有するＣ１−Ｃ４アルコキシ基；及び、非置換、又は、ヒドロキシ基、スルホ基及びカルボキシ基よりなる群から選択される置換基を有するＣ１−Ｃ４アルキルスルホニル基；よりなる群から選択される置換基を有し、
基Ｂ及び基Ｃはパラフェニレン基であり、カルボキシ基；スルホ基；非置換Ｃ１−Ｃ４アルキル基；非置換、又は、ヒドロキシ基、Ｃ１−Ｃ４アルコキシ基、スルホ基及びカルボキシ基よりなる群から選択される置換基を有するＣ１−Ｃ４アルコキシ基；よりなる群から選択される置換基を有し、
Ｒ1は、非置換、又はカルボキシ置換Ｃ１−Ｃ４アルキル基；非置換、又はスルホ置換フェニル基；又はカルボキシ基；を、
Ｒ2は、シアノ基；カルバモイル基；又はカルボキシ基；を、
Ｒ3およびＲ4は、それぞれ独立して水素原子；メチル基；塩素原子；又はスルホ基；を、それぞれ表す。
【００３２】
上記基Ａ、基Ｂ、基Ｃの置換基における非置換Ｃ１−Ｃ４アルキル基としては、直鎖、分岐鎖又は環状のものが挙げられ、直鎖又は分岐鎖が好ましく、直鎖がより好ましい。具体例としては、メチル、エチル、ｎ−プロピル、ｎ−ブチル等の直鎖のもの；イソプロピル、イソブチル、ｓｅｃ−ブチル、ｔｅｒｔ−ブチル等の分岐鎖のもの；シクロプロピル等の環状のもの；等が挙げられる。
【００３３】
上記基Ａ、基Ｂ、基Ｃの置換基における非置換Ｃ１−Ｃ４アルコキシ基としては、直鎖又は分岐鎖のものが挙げられる。具体例としては、メトキシ、エトキシ、ｎ−プロポキシ、ｎ−ブトキシ等の直鎖のもの；イソプロポキシ、ｓｅｃ−ブトキシ、ｔｅｒｔ−ブトキシ等の分岐鎖のもの；等が挙げられる。
【００３４】
上記基Ａ、基Ｂ、基Ｃの置換基におけるヒドロキシ基、Ｃ１−Ｃ４アルコキシ基、スルホ基及びカルボキシ基よりなる群から選択される置換基を有するＣ１−Ｃ４アルコキシ基としては、直鎖又は分岐鎖のものが挙げられる。該選択される基の数は、通常１又は２、好ましくは１である。具体例としては例えば、２−ヒドロキシエトキシ、２−ヒドロキシプロポキシ、３−ヒドロキシプロポキシ等のヒドロキシ置換のもの；メトキシエトキシ、エトキシエトキシ、ｎ−プロポキシエトキシ、ｎ−ブトキシエトキシ、メトキシプロポキシ、エトキシプロポキシ、ｎ−プロポキシプロポキシ、ｎ−プロポキシブトキシ、イソプロポキシエトキシ、イソプロポキシブトキシ等のアルコキシ置換のもの；３−スルホプロポキシ、４−スルホブトキシ等のスルホ置換のもの；カルボキシメトキシ、２−カルボキシエトキシ、３−カルボキシプロポキシ等のカルボキシ置換のもの；２−ヒドロキシエトキシエトキシ等の、上記の中から選択される２種類の基が置換したもの；等が挙げられる。
【００３５】
上記基Ａの置換基における非置換Ｃ１−Ｃ４アルキルスルホニル基としては、直鎖又は分岐鎖のものが挙げられ、直鎖が好ましい。具体例としては、メチルスルホニル、エチルスルホニル、プロピルスルホニル、ブチルスルホニル等の直鎖のもの；イソプロピルスルホニル等の分岐鎖のもの；等が挙げられる。
上記基Ａの置換基におけるヒドロキシ基、スルホ基及びカルボキシ基よりなる群から選択される置換基を有するＣ１−Ｃ４アルキルスルホニル基としては直鎖又は分岐鎖のものが好ましく、具体例としては、ヒドロキシエチルスルホニル、２−ヒドロキシプロピルスルホニル等のヒドロキシ置換のもの；２−スルホエチルスルホニル、３−スルホプロピルスルホニル等のスルホ置換のもの；２−カルボキシエチルスルホニル、３−カルボキシプロピルスルホニル等のカルボキシ置換のもの；等が挙げられる。
【００３６】
上記基Ａにおける好ましい置換基としては、シアノ、カルボキシ、スルホ、スルファモイル、メチルスルホニル、２−ヒドロキシエチルスルホニル、３−スルホプロピルスルホニル、ニトロ、メチル、メトキシ、エチル、エトキシ、２−ヒドロキシエトキシ、２−スルホエトキシ、３−スルホプロポキシ、４−スルホブトキシ、カルボキシメトキシ、２−カルボキシエトキシ等であり、より好ましくは、シアノ、カルボキシ、スルホ、スルファモイル、メチルスルホニル、ヒドロキシエチルスルホニル、３−スルホプロピルスルホニル、ニトロであり、さらに好ましくは、カルボキシ、スルホである。
【００３７】
上記基Ｂおよび基Ｃにおける好ましい置換基としては、カルボキシ、スルホ、メチル、メトキシ、エチル、エトキシ、２−ヒドロキシエトキシ、２−スルホエトキシ、３−スルホプロポキシ、４−スルホブトキシ、カルボキシメトキシ、２−カルボキシエトキシ等であり、より好ましくは、スルホ、メチル、メトキシ、２−ヒドロキシエトキシ、２−スルホエトキシ、３−スルホプロポキシ、カルボキシメトキシであり、さらに好ましくは、スルホ、メチル、メトキシ、３−スルホプロポキシである。
【００３８】
上記Ｒ1における非置換Ｃ１−Ｃ４アルキル基としては、好ましいもの等を含めて上記基Ａ、基Ｂ及び基Ｃの置換基における非置換Ｃ１−Ｃ４アルキル基と同じでよい。Ｒ1におけるカルボキシ置換Ｃ１−Ｃ４アルキル基としては、直鎖又は分岐鎖のものが挙げられ、直鎖が好ましい。具体例としては、２−カルボキシエチル、カルボキシメチル、３−カルボキシプロピル等が挙げられる。
【００３９】
上記Ｒ1におけるスルホ置換フェニル基としては、例えば、３−スルホフェニル、４−スルホフェニル、２，４−ジスルホフェニル、３，５−ジスルホフェニル等の、スルホが１乃至２置換したフェニル基が挙げられる。
【００４０】
上記Ｒ1における好ましいものは、メチル、エチル、ｎ−プロピル、ｎ−ブチル、ｔ−ブチル、カルボキシメチル、フェニル、４−スルホフェニル、カルボキシであり、より好ましくは、メチル、ｎ−プロピル、カルボキシメチル、４−スルホフェニルであり、さらに好ましくは、メチル、ｎ−プロピルである。
【００４１】
上記Ｒ1とＲ2における好ましい組み合わせは、Ｒ1がメチルでＲ2がシアノ、又はＲ1がメチルでＲ2がカルバモイルである。
【００４２】
上記Ｒ3およびＲ4におけるより好ましいものは、水素原子、メチル、スルホであり、好ましいＲ3とＲ4の組み合わせは、Ｒ3が水素原子でＲ4がスルホ；又はＲ3がスルホでＲ4が水素原子；である。
【００４３】
色素（Ｉ）の調色色素として好ましいものの１つが、上記式（３）で表される色素（ＩＩＩ）である。
上記式（３）において、Ｒaは、水素原子；ヒドロキシ基；カルボキシ基；非置換、又は、ヒドロキシ基又はＣ１−Ｃ４アルコキシ基によって置換されたＣ１−Ｃ４アルキル基；非置換、又は、ヒドロキシ基、Ｃ１−Ｃ４アルコキシ基又はヒドロキシＣ１−Ｃ４アルコキシ基によって置換されたＣ１−Ｃ４アルコキシ基；非置換、又は、ヒドロキシ基又はＣ１−Ｃ４アルコキシ基によって置換されたＣ１−Ｃ４アルキルアミノ基；カルボキシ置換Ｃ１−Ｃ５アルキルアミノ基；ビス−（カルボキシ置換Ｃ１−Ｃ５アルキル）アミノ基；非置換、又は、ヒドロキシ基又はＣ１−Ｃ４アルコキシ基によって置換されたＣ１−Ｃ４アルカノイルアミノ基；非置換、又は、ベンゼン環がカルボキシ基、スルホ基及びアミノ基よりなる群から選択される基で置換されたフェニルアミノ基；スルホ基；ハロゲン原子；又はウレイド基；を、Ｚはカルボキシ基又はスルホ基を有する脂肪族アミノ基を、それぞれ表す。
【００４４】
上記Ｒａにおける非置換Ｃ１−Ｃ４アルキル基としては、上記式（２）における基Ａの置換基が非置換Ｃ１−Ｃ４アルキル基である場合と、好ましいもの等を含めて同じでよい。
Ｒａにおけるヒドロキシ基又はＣ１−Ｃ４アルコキシ基によって置換されたＣ１−Ｃ４アルキル基の具体例としては、２−ヒドロキシエチル等のヒドロキシ置換のもの；メトキシエチル、エトキシエチル、ｎ−プロポキシエチル、イソプロポキシエチル、ｎ−ブトキシエチル、ｓｅｃ−ブトキシエチル、ｔｅｒｔ−ブトキシエチル等のアルコキシ置換のもの；等が挙げられる。
【００４５】
上記Ｒａにおける非置換Ｃ１−Ｃ４アルコキシ基としては、上記基Ａ、基Ｂ、基Ｃの置換基における非置換Ｃ１−Ｃ４アルコキシ基と、好ましいもの等を含めて同じでよい。
Ｒａにおけるヒドロキシ基、Ｃ１−Ｃ４アルコキシ基又はヒドロキシＣ１−Ｃ４アルコキシ基によって置換されたＣ１−Ｃ４アルコキシ基としては、２−ヒドロキシエトキシ、２−ヒドロキシプロポキシ、３−ヒドロキシプロポキシ等のヒドロキシ置換のもの；メトキシエトキシ、エトキシエトキシ、ｎ−プロポキシエトキシ、イソプロポキシエトキシ、ｎ−ブトキシエトキシ、メトキシプロポキシ、エトキシプロポキシ、ｎ−プロポキシプロポキシ、イソプロポキシブトキシ、ｎ−プロポキシブトキシ等のアルコキシ置換のもの；２−ヒドロキシエトキシエトキシ等のヒドロキシＣ１−Ｃ４アルコキシ置換のもの；等が挙げられる。
【００４６】
上記Ｒａにおける非置換Ｃ１−Ｃ４アルキルアミノ基としては、メチルアミノ、エチルアミノ、ｎ−プロピルアミノ、イソプロピルアミノ、ｎ−ブチルアミノ、イソブチルアミノ等の非置換モノアルキルアミノ基；Ｎ，Ｎ−ジメチルアミノ、Ｎ，Ｎ−ジエチルアミノ、Ｎ，Ｎ−ジ（ｎ−プロピル）アミノ、Ｎ，Ｎ−ジ（イソプロピル）アミノ等の非置換ジアルキルアミノ基；等が挙げられる。
Ｒａにおけるヒドロキシ基又はＣ１−Ｃ４アルコキシ基によって置換されたＣ１−Ｃ４アルキルアミノ基の例としては、ヒドロキシエチルアミノ、２−ヒドロキシプロピルアミノ、３−ヒドロキシプロピルアミノ等のモノ（ヒドロキシ置換アルキル）アミノ基；ビス（ヒドロキシエチル）アミノ等のビス（ヒドロキシ置換アルキル）アミノ基；メトキシエチルアミノ、エトキシエチルアミノ等のモノ（Ｃ１−Ｃ４アルコキシ置換アルキル）アミノ基；ビス（メトキシエチル）アミノ、ビス（２−エトキシエチル）アミノ等のビス（Ｃ１−Ｃ４アルコキシ置換アルキル）アミノ基；等が挙げられる。
【００４７】
上記Ｒａにおけるカルボキシ置換Ｃ１−Ｃ５アルキルアミノ基としては、カルボキシメチルアミノ、カルボキシエチルアミノ、カルボキシプロピルアミノ、カルボキシ−ｎ−ブチルアミノ、カルボキシ−ｎ−ペンチルアミノなどが挙げられる。
【００４８】
上記Ｒａにおけるビス（カルボキシＣ１−Ｃ５アルキル）アミノ基の例としてはビス（カルボキシメチル）アミノ、ビス（カルボキシエチル）アミノ、ビス（カルボキシプロピル）アミノ等が挙げられる。
【００４９】
上記Ｒａにおける非置換Ｃ１−Ｃ４アルカノイルアミノ基としては、アセチルアミノ、ｎ−プロピオニルアミノ、イソプロピオニルアミノ等が挙げられる。
Ｒａにおけるヒドロキシ基又はＣ１−Ｃ４アルコキシ基によって置換されたＣ１−Ｃ４アルカノイルアミノ基としては、ヒドロキシアセチルアミノ、２−ヒドロキシ−ｎ−プロピオニルアミノ、３−ヒドロキシ−ｎ−プロピオニルアミノ、２−ヒドロキシ−ｎ−ブチリルアミノ、３−ヒドロキシ−ｎ−ブチリルアミノ等のヒドロキシ置換のもの；２−メトキシ−ｎ−プロピオニルアミノ、３−メトキシ−ｎ−プロピオニルアミノ、２−メトキシ−ｎ−ブチリルアミノ、３−メトキシ−ｎ−ブチリルアミノ等のアルコキシ置換のもの；等が挙げられる。
【００５０】
上記Ｒａにおけるベンゼン環がカルボキシ基、スルホ基及びアミノ基よりなる群から選択される基で置換されたフェニルアミノ基としては、カルボキシフェニルアミノ、ビスカルボキシフェニルアミノ等のカルボキシ置換のもの；スルホフェニルアミノ等のスルホ置換のもの；アミノフェニルアミノ、ジアミノフェニルアミノ等のアミノ置換のもの；ジアミノスルホフェニルアミノ等のスルホとアミノがそれぞれ置換したもの；等が挙げられる。該置換基の数は、通常１乃至４、好ましくは１乃至３、より好ましくは１又は２である。
【００５１】
上記のうち、好ましいＲaはＣ１−Ｃ４アルキル基であり、メチル基がより好ましい。
【００５２】
上記Ｚにおけるカルボキシ基又はスルホ基を有する脂肪族アミノ基としては、スルホＣ１−Ｃ５アルキルアミノ基；カルボキシＣ１−Ｃ５アルキルアミノ基；ジ（スルホＣ１−Ｃ５アルキル）アミノ基；ジ（カルボキシＣ１−Ｃ５アルキル）アミノ基；などの、カルボキシ基もしくはスルホ基を有する、モノＣ１−Ｃ５アルキルアミノ基又は、ジ（Ｃ１−Ｃ５アルキル）アミノ基が挙げられる。より好ましい脂肪族アミノ基の炭素数は１又は２である。好ましい具体例としては、スルホエチルアミノ等のスルホＣ１−Ｃ５アルキルアミノ基；ジ（カルボキシメチル）アミノ等のジ（カルボキシＣ１−Ｃ５アルキル）アミノ基；が挙げられ、なかでもスルホエチルアミノ等のスルホＣ１−Ｃ５アルキルアミノ基がより好ましく、スルホＣ１−Ｃ３アルキルアミノ基がさらに好ましい。
【００５３】
上記式（３）で表される色素（ＩＩＩ）のうち、好ましいものが上記式（７）で表される色素である。
式（７）中、Ｚは上記式（３）におけるのと同じ意味を有し、好ましいもの等を含めて同じでよい。
上記式（７）で表される色素（ＩＩＩ）として最も好ましい色素は、下記式（１０）で表される色素である。
【００５４】
【化１０】
2010007019.tif 000006
【００５５】
上記式（１）乃至（１０）における環Ａ乃至Ｄ、基Ｅ、Ｘ、Ｙ、ａ乃至ｃの数、基Ａ乃至Ｃ、Ｒa及びＺにおいて、好ましいもの同士を組合せたものはより好ましく、より好ましいもの同士を組合せたものはさらに好ましい。さらに好ましいもの同士の組合せ等についても同様である。
【００５６】
各色素（Ｉ）乃至（ＩＩＩ）の塩としては、無機又は有機陽イオンの塩が挙げられる。そのうち無機塩の具体例としては、アルカリ金属塩、アルカリ土類金属塩およびアンモニウム塩が挙げられ、好ましい無機塩は、リチウム、ナトリウム、カリウムの塩およびアンモニウム塩であり、又、有機の陽イオンの塩としては例えば下記式（１１）で示される４級アンモニウムイオンがあげられるがこれらに限定されるものではない。また遊離酸、その互変異性体、およびそれらの各種の塩が混合物であってもよい。例えばナトリウム塩とアンモニウム塩の混合物、遊離酸とナトリウム塩の混合物、リチウム塩、ナトリウム塩およびアンモニウム塩の混合物など、いずれの組み合わせを用いても良い。塩の種類によって溶解性などの物性値が異なる場合も有り、必要に応じて適宜塩の種類を選択したり、複数の塩などを含む場合にはその比率を変化させたりすることにより目的に適う物性を有する混合物を得ることもできる。また、色素（Ｉ）乃至（ＩＩＩ）が同じ塩である必要は無く、それぞれが別の塩であっても構わない。
【００５７】
【化１１】
2010007019.tif 000007
【００５８】
上記式（１１）においてＺ1、Ｚ2、Ｚ3、Ｚ4は、それぞれ独立に水素原子、アルキル基、ヒドロキシアルキル基およびヒドロキシアルコキシアルキル基よりなる群から選択される基を表す。
式（１１）におけるＺ1、Ｚ2、Ｚ3、Ｚ4のアルキル基の具体例としてはメチル、エチル、ｎ−プロピル、イソプロピル、ｎ−ブチル、イソブチル、ｓｅｃ−ブチル、ｔｅｒｔ−ブチルなどが挙げられ、ヒドロキシアルキル基の具体例としてはヒドロキシメチル、ヒドロキシエチル、３−ヒドロキシプロピル、２−ヒドロキシプロピル、４−ヒドロキシブチル、３−ヒドロキシブチル、２−ヒドロキシブチル等のヒドロキシＣ１−Ｃ４アルキル基が挙げられ、ヒドロキシアルコキシアルキル基の例としては、ヒドロキシエトキシメチル、２−ヒドロキシエトキシエチル、３−ヒドロキシエトキシプロピル、２−ヒドロキシエトキシプロピル、４−ヒドロキシエトキシブチル、３−ヒドロキシエトキシブチル、２−ヒドロキシエトキシブチル等ヒドロキシＣ１−Ｃ４アルコキシＣ１−Ｃ４アルキル基が挙げられ、これらのうちヒドロキシエトキシＣ１−Ｃ４アルキルが好ましい。特に好ましいものとしては水素原子；メチル、ヒドロキシメチル、ヒドロキシエチル、３−ヒドロキシプロピル、２−ヒドロキシプロピル、４−ヒドロキシブチル、３−ヒドロキシブチル、２−ヒドロキシブチル等のヒドロキシＣ１−Ｃ４アルキル基、ヒドロキシエトキシメチル、２−ヒドロキシエトキシエチル、３−ヒドロキシエトキシプロピル、２−ヒドロキシエトキシプロピル、４−ヒドロキシエトキシブチル、３−ヒドロキシエトキシブチル、２−ヒドロキシエトキシブチル等のヒドロキシエトキシＣ１−Ｃ４アルキル基が挙げられる。
【００５９】
式（１１）として好ましい化合物のＺ1、Ｚ2、Ｚ3、及びＺ4の組み合わせの具体例を下記表１に示す。
【００６０】
【表１】
2010007019.tif 000008
【００６１】
上記式（１）で表される色素（Ｉ）の製造方法を記載する。
まず、下記式（１２）で表される化合物を合成する。下記式（１２）で表される化合物は、例えば触媒及びニッケル化合物の存在下、含窒素へテロ環ジカルボン酸誘導体とフタル酸誘導体とを反応させる事により得られる。含窒素ヘテロ環ジカルボン酸誘導体とフタル酸誘導体の反応のモル比を変えることにより環Ａ乃至Ｄの含窒素ヘテロ環の数とベンゼン環の数を調整することが可能である。
例えば環Ａ乃至Ｄの４つの環のうち、０．２〜３．０個が含窒素ヘテロ環であり、残りがベンゼン環の場合には、その含有割合に応じて、含窒素へテロ環ジカルボン酸誘導体とフタル酸誘導体の使用割合をそれぞれ、０．０５〜０．７５モルの割合の範囲で、両者の合計が１モルとなる割合で使用することにより、目的とする化合物を得ることができる。
例えば、含窒素へテロ環が１．０で、ベンゼン環が３．０の場合、含窒素へテロ環ジカルボン酸誘導体を０．２５モル、フタル酸誘導体を０．７５モルの割合で使用すれば、平均値として目的とする環がそれぞれ導入された化合物を得ることができる。
含窒素ヘテロ環ジカルボン酸誘導体としては、隣接する２つの位置にそれぞれカルボキシ基、又はカルボキシと等価とされる反応性の基（酸アミド基、イミド基、酸無水物基及びカルボニトリル基等）を有する６員含窒素ヘテロ環ジカルボン酸誘導体が挙げられる。
具体的にはキノリン酸、３，４−ピリジンジカルボン酸、２，３−ピラジンジカルボン酸等のジカルボン酸化合物、無水キノリン酸、３，４−ピリジンジカルボン酸無水物、２，３−ピラジンジカルボン酸無水物等の酸無水物、２，３−ピラジンジカルボキシアミド等のアミド化合物、ピラジン−２，３−ジカルボン酸モノアミド等のジカルボン酸モノアミド化合物、２，３−ピラジンジカルボン酸イミド等の酸イミド化合物、ピリジン−２，３−ジカルボニトリル、ピラジン−２，３−ジカルボニトリル等のジカルボニトリル化合物があげられる。またフタル酸誘導体としては、フタル酸、無水フタル酸、フタルアミド、フタラミン酸、フタルイミド、フタロニトリル、１，３−ジイミノイソインドリン及び２−シアノベンズアミド等があげられる。
【００６２】
下記式（１２）で表される化合物の合成方法には一般的にニトリル法とワイラー法と呼ばれる２つがあり、反応条件等が異なる。
ニトリル法とはピリジン−２，３−ジカルボニトリル、ピラジン−２，３−ジカルボニトリル、フタロニトリル等のジカルボニトリル化合物を原料とし、目的とする化合物を合成する方法である。
それに対し、ワイラー法はフタル酸、キノリン酸、３，４−ピリジンジカルボン酸、２，３−ピラジンジカルボン酸等のジカルボン酸化合物、無水フタル酸、無水キノリン酸、３，４−ピリジンジカルボン酸無水物、２，３−ピラジンジカルボン酸無水物等の酸無水物化合物、フタルアミド、ピリジン−２，３−ジカルボキシアミド等のジカルボキシアミド化合物、フタラミック酸、ピラジン−２，３−ジカルボン酸モノアミド等のジカルボン酸モノアミド化合物、フタルイミド、キノリン酸イミド等の酸イミド化合物を原料に用いる。またワイラー法では尿素の添加が必須であり、尿素の使用量は含窒素ヘテロ環ジカルボン酸誘導体とフタル酸誘導体の総計１モルに対し５〜１００倍モル量である。
【００６３】
【化１２】
2010007019.tif 000009
【００６４】
［式（１２）中、破線で表される環Ａ乃至Ｄは、前記式（１）におけるのと同じ意味を表す。］
【００６５】
反応は溶媒の存在下に行われ、ニトリル法においては溶媒としては沸点１００℃以上、より好ましくは１３０℃以上の有機溶媒が用いられる。該有機溶媒として、例えば、ｎ−アミルアルコール、ｎ−ヘキサノール、シクロヘキサノール、２−メチル−１−ペンタノール、１−ヘプタノール、１−オクタノール、２−エチルヘキサノール、Ｎ，Ｎ−ジメチルアミノエタノール、ベンジルアルコール、エチレングリコール、プロピレングリコール、トリクロロベンゼン、クロロナフタレン、ニトロベンゼン、キノリン、スルホラン及び尿素等が挙げられる。
また、ワイラー法においては、溶媒として沸点１５０℃以上、より好ましくは１８０℃以上の非プロトン性有機溶媒が用いられる。例えば、トリクロロベンゼン、クロロナフタレン、ニトロベンゼン、キノリン、スルホラン及び尿素等である。
溶媒の使用量は含窒素ヘテロ環ジカルボン酸誘導体とフタル酸誘導体の総計の１〜１００質量倍である。
【００６６】
触媒としては、以下のものが使用できる。
ニトリル法においてはキノリン、１，８−ジアザビシクロ［５，４，０］−７−ウンデセン、トリブチルアミン、アンモニア、Ｎ，Ｎ−ジメチルアミノエタノール等のアミン類、ナトリウムエトキシド、ナトリウムメトキシド等のアルカリ金属アルコラート類があげられる。
またワイラー法においてはモリブデン酸アンモニウム及びホウ酸等があげられる。
触媒の添加量は、含窒素ヘテロ環ジカルボン酸誘導体とフタル酸誘導体の総計１モルに対し、０．００１〜１倍モルである。
【００６７】
ニッケル化合物としては、金属ニッケル、ニッケルのハロゲン化物、カルボン酸塩、硫酸塩、硝酸塩、アセチルアセトナート、錯体等が挙げられる。例えば、塩化ニッケル、臭化ニッケル、酢酸ニッケル、ニッケルアセチルアセトナート等が挙げられる。
ニッケル化合物の使用量は、含窒素ヘテロ環ジカルボン酸誘導体とフタル酸誘導体の総計１モルに対し、０．１５〜０．３５倍モルである。
【００６８】
ニトリル法では反応温度は通常１００〜２００℃であり、好ましくは１３０〜１７０℃である。
一方、ワイラー法では反応温度は１５０〜３００℃であり、好ましくは１７０〜２２０℃である。
反応時間は反応条件により変わるが通常１〜４０時間である。反応終了後、目的物を濾取、洗浄及び乾燥する事により、上記式（１２）で表される化合物が得られる。
【００６９】
前記式（１２）における破線で表される環Ａ乃至Ｄのうち、いずれも平均値で２．０がピラジン環で、残り２．０がベンゼン環で表される化合物、すなわちニッケルジベンゾビス（２，３−ピラジノ）ポルフィラジンを例にあげて、合成方法を更に詳細に説明する。
【００７０】
スルホラン溶媒中、２，３−ピラジンジカルボン酸（０．５モル）、無水フタル酸（０．５モル）、塩化銅（ＩＩ）（０．２５モル）、リンモリブデン酸アンモニウム（０．００４モル）、尿素（６モル）を２００℃、５時間反応させることにより、目的とするニッケルジベンゾビス（２，３−ピラジノ）ポルフィラジンが得られる。２，３−ピラジンジカルボン酸、無水フタル酸、金属化合物、溶媒及び触媒等の種類や使用量により反応性は異なり上記に限定されるものではない。
【００７１】
また、上記合成法で合成した場合、主成分はニッケルジベンゾビス（２，３−ピラジノ）ポルフィラジンであり、前記式（１２）における破線で表される環Ａ乃至Ｄのうち、いずれも平均値で、１．０がピラジン環で、残り３．０がベンゼン環で表されるニッケルトリベンゾ（２，３−ピラジノ）ポルフィラジンと、同様に３．０がピラジン環で、残り１．０がベンゼン環で表されるニッケルベンゾトリス（２，３−ピラジノ）ポルフィラジンとが生成し、また、少量ではあるがニッケルテトラキス（２，３−ピラジノ）ポルフィラジン及びニッケルフタロシアニン（ニッケルテトラベンゾポルフィラジン）も生成する。従って、上記の平均値とは、これらの混合物の総量における平均値である。
【００７２】
上記のニッケルジベンゾビス（２，３−ピラジノ）ポルフィラジンの合成方法に準じて、原料である２，３−ピラジンジカルボン酸の代わりに、他の含窒素へテロ環の誘導体を用いることにより、同様に、２つが該含窒素ヘテロ環で、残り２つがベンゼン環の化合物を得ることができる。破線で表される環Ａ乃至Ｄにおける、含窒素へテロ環と、ベンゼン環との比率が異なるものについても、上記の比率でそれぞれの原料を使用することにより、目的とする比率の化合物を得ることができる。
【００７３】
次に、下記式（１３）で表される化合物は、上記式（１２）で表される化合物をクロロスルホン酸中でクロロスルホニル化すること；又は、式（１２）で表される化合物を、硫酸又は発煙硫酸中でスルホ化した後、クロロ化剤で該スルホ基をクロロスルホニル基へ変換すること；等の常法により得られる。このようにして得られるクロロスルホニル基又はスルホ基は、１つのベンゼン環上に、通常１つ導入されるので、これらの基の導入される数はベンゼン環の数以内である。従って、上記式（１３）におけるクロロスルホニル基の数（ｎ）は、式（１３）で表される化合物のベンゼン環の数に応じて１．０以上３．８以下である。
下記式（１３）で表される化合物のその他の合成方法としては、予めスルホ基を有するスルホフタル酸等のフタル酸誘導体とキノリン酸等の含窒素ヘテロ環ジカルボン酸誘導体とを縮合閉環させた後、スルホ基をクロロスルホニル基へ変換する方法等が挙げられる。
【００７４】
【化１３】
2010007019.tif 000010
【００７５】
上記式（１３）中、破線で表される環Ａ乃至Ｄは、上記式（１）と同じ意味を有し、ｎは平均値で１．０以上３．８以下である。
【００７６】
上記のクロロスルホニル化を行う場合、通常クロロスルホン酸を溶媒として反応を行う。クロロスルホン酸の使用量は、通常上記式（１２）で表される化合物の３〜２０重量倍であり、好ましくは５〜１０重量倍である。反応温度については、通常１００〜１５０℃であり、好ましくは１２０〜１５０℃である。反応時間については反応温度等の反応条件により異なるが、通常１〜１０時間である。しかしながらこの反応条件でクロロスルホニル化反応を行った場合、クロロスルホニル化が不十分であり、得られる化合物はクロロスルホニル基と、塩素原子が導入されないか又はクロロスルホニル基が加水分解を受けるか等により生じるスルホ基の混合物となる。このためクロロスルホン酸を単独で使用せず、塩化チオニル等のクロル化剤を更に添加してクロロスルホニル化反応を行うのが好ましい。
添加する該クロル化剤の量は、理論上導入されるクロロスルホニル基の数に対して、０．５〜１０当量、好ましくは０．５〜５当量程度がよい。該クロル化剤としては塩化チオニル、塩化スルフリル、三塩化リン、五塩化リン及びオキシ塩化リン等が挙げられるが、これらに限定されるものではない。
クロロスルホニル化反応は上記の通り、クロロスルホン酸以外の溶媒は用いなくてよい。しかし用いる場合には、硫酸、発煙硫酸、クロロスルホン酸、ベンゼン、トルエン、ニトロベンゼン、クロロベンゼン、Ｎ，Ｎ−ジメチルホルムアミド及びＮ，Ｎ−ジメチルアセトアミド等が挙げられるが、これらに限定されるものではない。
【００７７】
次に、上記式（１３）で表される化合物と、下記式（５）で表される有機アミンとを、アンモニア又はアンモニア発生源の存在下に水溶媒中で、おおよそｐＨ８〜１０、５〜７０℃、１〜２０時間反応させる事により、目的の上記式（１）で表される色素（Ｉ）が得られる。本明細書においてアンモニア発生源とは、例えば種々のアンモニウム塩等のように、中和又は加熱等の操作により、アンモニアを発生する化合物をいう。反応に用いるアンモニア又はアンモニア発生源としては例えば、塩化アンモニウム、硫酸アンモニウム等の中和によりアンモニアを発生するアンモニウム塩；尿素等の加熱によりアンモニアを発生するもの；アンモニア水；アンモニアガス；等が挙げられる。好ましくはアンモニア水又は中和によりアンモニアを発生する化合物、より好ましくはアンモニア水が挙げられるが、これらに限定されるものではない。また、上記式（１３）で表される化合物、下記式（５）で表される有機アミン及びアンモニア又はアンモニア発生源との反応は通常、水中又は含水溶媒中、好ましくは水中で行なわれる。
【００７８】
【化５】
2010007019.tif 000011
【００７９】
上記式（５）中、基Ｅ、Ｘ及びＹは、上記式（１）におけるのと同じ意味を有する。
【００８０】
上記式（５）で表される有機アミンの使用量は、上記式（１３）で表される化合物１モルに対して、通常、上記式（１）におけるｃの数の１倍モル以上であるが、該有機アミンの反応性や、該有機アミンの導入反応の条件により異なり、一概にいうことは困難である。
通常は上記ｃの数の１〜３倍モル、好ましくは１〜２倍モル程度である。ｃの数が大きくなるほど、該導入反応に用いる上記式（５）で表される有機アミンの使用倍数はより大きくする必要がある。
【００８１】
上記式（５）で表される有機アミンは公知の方法で製造することができる。
例えば、Ｘに対応するアニリン類０．９５〜１．１モルと、ハロゲン化シアヌル、例えば２，４，６−トリクロロ−Ｓ−トリアジン（シアヌルクロライド）１モルとを水中で、おおよそｐＨ３〜７、５〜４０℃、２〜１２時間の条件下に反応させて、１次縮合物を得る。
次いで、Ｙがアミノ基の場合には、得られた１次縮合物１モルと、アンモニア０．９５〜２．０モルとを、おおよそｐＨ４〜１０、５〜８０℃、０．５〜１２時間の条件下に反応させることにより２次縮合物を得る。
またＹがヒドロキシ基の場合には、１次縮合物の反応液に、水酸化ナトリウム等のアルカリ金属の水酸化物を添加し、おおよそｐＨ４〜１０、５〜８０℃、０．５〜１２時間の条件下に反応させることにより２次縮合物を得る。
次いで、得られた２次縮合物１モルと、基Ｅに対応するアルキレンジアミン類１〜５０モルとを、おおよそｐＨ９〜１２、５〜９０℃、０．５〜８時間の条件下に反応させることにより、上記式（５）で表される化合物が得られる。縮合の際のｐＨ調整には通常、水酸化ナトリウムや水酸化カリウム等のアルカリ金属の水酸化物、炭酸ナトリウムや炭酸カリウム等のアルカリ金属の炭酸塩などがあげられる。なお、縮合の順序は各種化合物の反応性に応じ適宜定められ、上記に限定されない。
【００８２】
前記式（１）で表される色素（Ｉ）は一部、２価の連結基（Ｌ）を介してニッケルポルフィラジン環（Ｐｚ）が２量体（例えばＰｚ−Ｌ−Ｐｚ）又は３量体を形成した不純物が副生し、反応生成物中に混入することもある。
【００８３】
上記Ｌで表される２価の連結基としては−ＳＯ2−、−ＳＯ2−ＮＨ−ＳＯ2−などがあり、３量体の場合にはこれら２つのＬが組み合わされた副生成物が形成される場合も有る。しかしながら、これらの副生成物は微量であり、本発明の黒色インク組成物が有する効果に影響を与えるほどは混入しないため、特に除去することなくそのまま本発明の色素（Ｉ）として使用できる。
【００８４】
こうして得られた本発明の色素（Ｉ）は酸析又は塩析後、濾過等により分離することが出来る。塩析は例えば酸性〜アルカリ性、好ましくはｐＨ１〜１１の範囲で塩析を行うことが好ましい。塩析の際の温度は特に限定されないが、通常４０〜８０℃、好ましくは５０〜７０℃に加熱後、塩化ナトリウム等を加えて塩析するのが好ましい。
【００８５】
本発明の前記式（１）で表される色素（Ｉ）における、環Ａ乃至Ｄ、基Ｅ、Ｘ及びＹの具体例を表２に示すが、これらに限定されるものではない。なお表２中、「２，３−ピラジノ」とは、環Ａ乃至Ｄにおける含窒素へテロ環が１，４−ピラジン環であり、該１，４−ピラジン環が、２及び３位で縮環していること；「２，３−ピリド」とは、同様に含窒素へテロ環がピリジン環であり、該ピリジン環が２及び３位で縮環していること；「ベンゾ」とは、環Ａ乃至Ｄにおけるベンゼン環であること；を、それぞれ意味する。
【００８６】
【表２】
2010007019.tif 000012
【００８７】
上記式（２）で表される色素（ＩＩ）の合成方法は特許文献１に記載されている。また、化合物の好適な具体例としては下記表３から６に記載のもの等が挙げられるが、特にこれらに限定されるものではない。
【００８８】
【表３】
2010007019.tif 000013
【００８９】
【表４】
2010007019.tif 000014
【００９０】
【表５】
2010007019.tif 000015
【００９１】
【表６】
2010007019.tif 000016
【００９２】
上記式（３）で表される色素（ＩＩＩ）の合成方法は、特許文献２に記載されている。
【００９３】
本発明のインク組成物は、前述のように色素（Ｉ）を、色素として含有することを特徴とする。好ましくは色素（ＩＩ）又は（ＩＩＩ）を含有し、色素（ＩＩ）及び（ＩＩＩ）の両者を含有することがより好ましい。色素（ＩＩ）及び（ＩＩＩ）の各々は、上記した特定の条件を満たす範囲でそれぞれ単独の色素でも良いし、それぞれが複数の色素の混合物であっても良い。本発明のインク組成物中に含有する色素の総質量は、インク組成物の総質量に対して、通常０．１〜２０質量％、好ましくは１〜１０質量％、より好ましくは２〜８質量％の比率であり、色素以外の残部は水を主要な媒体とする。
【００９４】
本発明のインク組成物には、さらに水溶性有機溶剤を例えば０〜３０質量％、インク調製剤を例えば０〜１０質量％含有していても良く、水溶性有機溶剤は含有するのが好ましい。また、所望により調色等の目的で更に他の色素を上記の範囲で含んでも良い。なお、インク組成物のｐＨとしては、保存安定性を向上させる点で、ｐＨ５〜１１が好ましく、ｐＨ７〜１０がより好ましい。また、インク組成物の表面張力としては、２５〜７０ｍＮ／ｍが好ましく、２５〜６０ｍＮ／ｍがより好ましい。さらに、インク組成物の粘度としては、３０ｍＰａ・ｓ以下が好ましく、２０ｍＰａ・ｓ以下がより好ましい。本発明のインク組成物のｐＨ、表面張力は後記するようなｐＨ調整剤、界面活性剤で適宜調整することが可能である。
【００９５】
本発明のインク組成物は、前記色素（Ｉ）を、必要に応じて他の調色用等の色素と共に、水又は含水の水溶性有機溶剤（水と混和可能な有機溶剤）に溶解し、必要に応じインク調製剤を添加したものである。このインク組成物をインクジェットプリンター用のインクとして使用する場合、色素（Ｉ）は、金属陽イオンの塩化物、硫酸塩等の無機不純物の含有量が少ないものを用いるのが好ましい。その無機不純物含有量の目安は、おおよそ色素の総質量に対して１質量％以下程度である。無機不純物の少ない色素を製造するには、例えば逆浸透膜による通常の方法又は色素の乾燥品あるいはウェットケーキをメタノール等のアルコール及び水の混合溶媒中で撹拌し、析出物を濾過分離して、乾燥するなどの方法で脱塩処理すればよい。同様に色素（ＩＩ）、（ＩＩＩ）及びその他の加えることが可能な調色色素についても無機不純物の含有量が少ないものを用いるのが好ましく、該不純物の含有量の目安や適用できる脱塩処理の方法等は色素（Ｉ）と同様である。
【００９６】
前記インク組成物の調製において、水溶性有機溶剤は、インクの粘度を調整する為、インクの乾燥性を調整する為、印刷後の記録媒体や記録媒体表面のインク受容層への浸透性を調整する為などの目的で使用される。用いうる水溶性有機溶剤の具体例としては、例えばメタノール、エタノール、プロパノール、イソプロパノール、ブタノール、イソブタノール、第二ブタノール又は第三ブタノール等のＣ１−Ｃ４アルカノール；Ｎ，Ｎ−ジメチルホルムアミド又はＮ，Ｎ−ジメチルアセトアミド等のカルボン酸アミド；２−ピロリドン、Ｎ−メチル−２−ピロリドン、ヒドロキシエチル−２−ピロリドン又はＮ−メチルピロリジン−２−オン等のラクタム；１，３−ジメチルイミダゾリジン−２−オン又は１，３−ジメチルヘキサヒドロピリミド−２−オン等の環式尿素類；アセトン、メチルエチルケトン、２−メチル−２−ヒドロキシペンタン−４−オン等のケトン又はケトアルコール；テトラヒドロフラン、ジオキサン等の環状エーテル；エチレングリコール、１，２−プロピレングリコール、１，３−プロピレングリコール、１，２−ブチレングリコール、１，４−ブチレングリコール、１，６−ヘキシレングリコール、ジエチレングリコール、トリエチレングリコール、テトラエチレングリコール、ジプロピレングリコール、ポリエチレングリコール、ポリプロピレングリコール、チオジグリコール又はジチオジグリコール等のＣ２−Ｃ６アルキレン単位を有するモノ、オリゴ又はポリ−アルキレングリコール又はチオグリコール；トリメチロールプロパン、グリセリン又はヘキサン−１，２，６−トリオール等のポリオール（トリオール）；エチレングリコールモノメチルエーテル、エチレングリコールモノエチルエーテル、ジエチレングリコールモノメチルエーテル、ジエチレングリコールモノエチルエーテル、ジエチレングリコールモノブチルエーテル（ブチルカルビトール）トリエチレングリコールモノメチルエーテル又はトリエチレングリコールモノエチルエーテル等の多価アルコールのＣ１−Ｃ４アルキルエーテル；γ−ブチロラクトン又はジメチルスルホキシド等があげられる。これらの有機溶剤は単独で用いてもよいし、二種以上を併用してもよい。
【００９７】
なお、上記の水溶性有機溶剤にはトリメチロールプロパン等のように、常温で固体の物質も含まれているが、これらは固体であっても水溶性を示し、水に溶解させた場合には水溶性有機溶剤と同じ目的で使用することができるため、便宜上、本明細書においては水溶性有機溶剤の範疇に記載する。
【００９８】
前記インク組成物の調製において適宜用いられるインク調製剤は、例えば防腐防黴剤、ｐＨ調整剤、キレート試薬、防錆剤、水溶性紫外線吸収剤、水溶性高分子化合物、色素溶解剤、酸化防止剤および／又は界面活性剤などがあげられる。以下にこれらの薬剤について説明する。
【００９９】
防黴剤の具体例としては、デヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オン及びその塩等が挙げられる。これらはインク組成物中に０．０２〜１．００質量％使用するのが好ましい。
【０１００】
防腐剤の例としては、例えば有機硫黄系、有機窒素硫黄系、有機ハロゲン系、ハロアリルスルホン系、ヨードプロパギル系、Ｎ−ハロアルキルチオ系、ニトリル系、ピリジン系、８−オキシキノリン系、ベンゾチアゾール系、イソチアゾリン系、ジチオール系、ピリジンオキシド系、ニトロプロパン系、有機スズ系、フェノール系、第４アンモニウム塩系、トリアジン系、チアジン系、アニリド系、アダマンタン系、ジチオカーバメイト系、ブロム化インダノン系、ベンジルブロムアセテート系又は無機塩系等の化合物が挙げられる。有機ハロゲン系化合物の具体例としては、例えばペンタクロロフェノールナトリウムが挙げられ、ピリジンオキシド系化合物の具体例としては、例えば２−ピリジンチオール−１−オキサイドナトリウムが挙げられ、イソチアゾリン系化合物としては、例えば１，２−ベンズイソチアゾリン−３−オン、２−ｎ−オクチル−４−イソチアゾリン−３−オン、５−クロロ−２−メチル−４−イソチアゾリン−３−オン、５−クロロ−２−メチル−４−イソチアゾリン−３−オンマグネシウムクロライド、５−クロロ−２−メチル−４−イソチアゾリン−３−オンカルシウムクロライド、２−メチル−４−イソチアゾリン−３−オンカルシウムクロライド等が挙げられる。その他の防腐防黴剤の具体例として、無水酢酸ソーダ、ソルビン酸ソーダ又は安息香酸ナトリウム等があげられる。
【０１０１】
ｐＨ調整剤としては、調合されるインクに悪影響を及ぼさずに、インクのｐＨを例えば５〜１１の範囲に制御できるものであれば任意の物質を使用することができる。その具体例としては、例えばジエタノールアミン、トリエタノールアミン、Ｎ−メチルジエタノールアミンなどのアルカノールアミン；水酸化リチウム、水酸化ナトリウム、水酸化カリウムなどのアルカリ金属の水酸化物；水酸化アンモニウム（アンモニア水）；あるいは炭酸リチウム、炭酸ナトリウム、炭酸水素ナトリウム、炭酸カリウムなどのアルカリ金属の炭酸塩；酢酸カリウム等の有機酸のアルカリ金属塩；ケイ酸ナトリウム、リン酸二ナトリウム等の無機塩基などが挙げられる。
【０１０２】
キレート試薬の具体例としては、例えばエチレンジアミン四酢酸ナトリウム、ニトリロ三酢酸ナトリウム、ヒドロキシエチルエチレンジアミン三酢酸ナトリウム、ジエチレントリアミン五酢酸ナトリウム又はウラシル二酢酸ナトリウムなどがあげられる。
【０１０３】
防錆剤の具体例としては、例えば、酸性亜硫酸塩、チオ硫酸ナトリウム、チオグルコール酸アンモニウム、ジイソプロピルアンモニウムナイトライト、四硝酸ペンタエリスリトール又はジシクロヘキシルアンモニウムナイトライトなどがあげられる。
【０１０４】
水溶性紫外線吸収剤の例としては、例えばスルホ化したベンゾフェノン系化合物、ベンゾトリアゾ−ル系化合物、サリチル酸系化合物、桂皮酸系化合物又はトリアジン系化合物が挙げられる。
【０１０５】
水溶性高分子化合物の具体例としては、ポリビニルアルコール、セルロース誘導体、ポリアミン又はポリイミン等があげられる。
【０１０６】
色素溶解剤の具体例としては、例えばε−カプロラクタム、エチレンカーボネート又は尿素などが挙げられる。
酸化防止剤の例としては、例えば、各種の有機系及び金属錯体系の褪色防止剤を使用することができる。前記有機系の褪色防止剤の例としては、ハイドロキノン類、アルコキシフェノール類、ジアルコキシフェノール類、フェノール類、アニリン類、アミン類、インダン類、クロマン類、アルコキシアニリン類又は複素環類等が挙げられる。
【０１０７】
界面活性剤の例としては、例えばアニオン系、カチオン系、ノニオン系などの公知の界面活性剤が挙げられる。
アニオン界面活性剤の例としてはアルキルスルホン酸塩、アルキルカルボン酸塩、α−オレフィンスルホン酸塩、ポリオキシエチレンアルキルエーテル酢酸塩、Ｎ−アシルアミノ酸およびその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキルシルスルホ琥珀酸塩又はジオクチルスルホ琥珀酸塩などが挙げられる。
カチオン界面活性剤としては２−ビニルピリジン誘導体又はポリ４−ビニルピリジン誘導体などがある。
両性界面活性剤の具体例としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、又はイミダゾリン誘導体などがある。
ノニオン界面活性剤の具体例としては、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテルなどのエーテル系；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレートなどのエステル系；２，４，７，９−テトラメチル−５−デシン−４，７−ジオール、３，６−ジメチル−４−オクチン−３，６−ジオール、３，５−ジメチル−１−ヘキシン−３−オールなどのアセチレンアルコール系；その他の具体例として例えば、日信化学社製、商品名サーフィノール１０４、１０５、８２、４６５、オルフィンＳＴＧなどが挙げられる。
これらのインク調製剤は、単独もしくは混合して用いられる。
【０１０８】
本発明のインク組成物は前記各成分を任意の順序で混合、撹拌することによって得られる。得られたインク組成物は、所望により、狭雑物を除く為にメンブランフィルター等で濾過を行ってもよい。また、インク組成物としての黒の色相を調整するため、上記の色素（ＩＩ）及び（ＩＩＩ）以外に、種々の色相を有する他の色素を混合してもよい。その場合は、他の色相を有する黒色や、イエロー、オレンジ、ブラウン、スカーレット、レッド、マゼンタ、バイオレット、ブルー、ネイビー、シアン、グリーン、その他の色の色素を混合して用いることができる。
【０１０９】
本発明のインク組成物は、各種分野において使用することができるが、筆記用水性インク、水性印刷インク、情報記録インク等に好適であり、インクジェット用インクとして用いることが特に好ましく、後述する本発明のインクジェット記録方法において好適に使用される。
【０１１０】
次に、本発明のインクジェット記録方法について説明する。本発明のインクジェット記録方法は、前記本発明のインク組成物を用いて記録を行うことを特徴とする。本発明のインクジェット記録方法においては、前記インク組成物、又はこれを含有する水性組成物をインクとして用いて受像材料（被記録材）に記録を行うが、その際に使用するインクノズル等については特に制限はなく、目的に応じて適宜選択することができる。
公知の方法、例えば、静電誘引力を利用してインクを吐出させる電荷制御方式；ピエゾ素子の振動圧力を利用するドロップオンデマンド方式（圧力パルス方式）；電気信号を音響ビームに変えインクに照射し、その放射圧を利用してインクを吐出させる音響インクジェット方式；インクを加熱して気泡を形成し、生じた圧力を利用するサーマルインクジェット、すなわちバブルジェット（登録商標）方式；等を採用することができる。
なお、前記インクジェット記録方法には、フォトインクと称する、インク中の色素濃度（色素含有量）の低いインクを、小さい体積で多数射出する方式；実質的に同じ色相でインク中の色素濃度の異なる複数のインクを用いて画質を改良する方式；および無色透明のインクを用いる方式なども含まれる。
【０１１１】
本発明の着色体は、少なくとも色素（Ｉ）を色素として含有するインク組成物により着色されたものであり、より好ましくはインクジェットプリンターを用いるインクジェット記録方法により、本発明のインク組成物によって着色されたものである。
着色されうるものとして特に制限はないが、例えば紙、フィルム等の情報伝達用シート、繊維や布（セルロース、ナイロン、羊毛等）、皮革、カラーフィルター用基材等が挙げられ、情報伝達用シートが好ましい。
情報伝達用シートとしては、表面処理されたもの、具体的には紙、合成紙、フィルム等の基材にインク受容層を設けたものが好ましい。インク受容層は、例えば上記基材にカチオン系ポリマーを含浸あるいは塗工すること；又は多孔質シリカ、アルミナゾルや特殊セラミックスなどのインク中の色素を吸収し得る多孔性白色無機物を、ポリビニルアルコールやポリビニルピロリドン等の親水性ポリマーと共に上記基材表面に塗工すること；などにより設けられる。このようなインク受容層を設けた情報伝達用シートは、通常インクジェット専用紙（フィルム）、光沢紙（フィルム）等と呼ばれる。
【０１１２】
上記の情報伝達用シートのうち、特に多孔性白色無機物を表面に塗工したシートに記録した画像は、オゾンガスによって変退色が大きくなることが知られている。しかし本発明のインク組成物は耐オゾンガス性が優れているため、このような被記録材へインクジェット記録した際に、特に大きな効果を発揮する。
その様な多孔性白色無機物を表面に塗工したシートの具体例としては、キヤノン株式会社製、商品名  プロフェッショナルフォトペーパー、スーパーフォトペーパー又はマットフォトペーパー；セイコーエプソン株式会社製、商品名  写真用紙＜光沢＞、ＰＭマット紙、写真用紙クリスピア＜高光沢＞；日本ヒューレット・パッカード株式会社製、商品名  アドバンスフォトペーパー；富士フィルム株式会社製、画彩写真仕上げＰｒｏ；等として市販品が入手可能である。
【０１１３】
本発明のインクジェット記録方法で普通紙や上記の情報伝達用シート等の被記録材に記録するには、例えば上記のインク組成物を含有する容器をインクジェットプリンターの所定の位置にセットし、通常の方法で被記録材に記録すればよい。
本発明のインクジェット記録方法は、本発明の黒色のインク組成物と、例えば公知のマゼンタ、シアン、イエロー、及び必要に応じて、グリーン、ブルー（又はバイオレット）及びレッド（又はオレンジ）などの各色のインク組成物とのインクセットとして併用することもできる。
各色のインク組成物は、それぞれの容器に注入され、その各容器を本発明の黒色のインク組成物を含有する容器と同様にインクジェットプリンターの所定の位置にセットしてインクジェット記録に使用される。
【０１１４】
本発明のインク組成物は長期間保存しても固体の析出、物性の変化、および色相の変化等を生じないため、貯蔵安定性が良好である。
又、本発明のインク組成物は、インクジェット記録用、筆記具用として用いることが可能である。
さらに情報伝達用シート、特にインクジェット専用紙に記録した場合、その記録画像の印字濃度が高く、加えて記録画像の耐久性、特に耐オゾンガス性、および耐光性が優れている。
【実施例】
【０１１５】
以下、本発明を実施例によって更に具体的に説明するが、本発明は、以下の実施例によって何ら限定されるものではない。
実施例中「部」及び「％」とあるのは、特別の記載のない限り質量基準である。
又、下記の各式において、スルホ等の官能基は便宜上、遊離酸の形で表記する。
また以下に記載するｐＨ値および反応温度は、いずれも反応系内における測定値を示す。
また合成した色素の最大吸収波長（λｍａｘ）はｐＨ７〜８の水溶液中で３００ｎｍから８００ｎｍの範囲で測定し、測定した色素については実施例中に測定値を記載した。
なお、上記式（１）、（１２）及び（１３）で表される化合物は、上記の通り実質的に混合物である。しかし、煩雑さを避けるため、これらに対応する構造式を記載する場合には、該混合物を構成する化合物の１つを代表構造式として記載する。
【０１１６】
実施例１
（１）
下記式（１４）で表される化合物の合成：上記式（５）において、Ｘが２，５−ジスルホアニリノ、Ｙがアミノ、基Ｅがエチレンである化合物。
【０１１７】
【化１４】
2010007019.tif 000017
【０１１８】
氷水２０００部中にロータットＯＨ１０４−Ｋ（ライオン株式会社製、界面活性剤）７．２部、塩化シアヌル２３９．９部を投入し３０分間攪拌した。次にアニリン−２，５−ジスルホン酸モノナトリウム塩（小西化学株式会社製の市販品をそのまま使用、純度９１．２％）４１１．６部を投入し、２５％水酸化ナトリウム水溶液の添加によりｐＨ２．７〜３．０を保持しながら１０〜１５℃で１時間、２７〜３０℃で２時間反応を行った。次に反応液を１０℃以下に冷却した後、２５％水酸化ナトリウム水溶液を添加しｐＨ７．０〜７．５に調整した。この反応液に２８％アンモニア水１１８．４部添加し１０〜１５℃、ｐＨ９．５〜１０．０で３時間反応した。その後、濃塩酸を添加し、ｐＨ６．０〜７．０に調整した。次いで氷２０００部を添加して０℃に冷却し、エチレンジアミン７８０部を５℃以下の温度で滴下した。その後、１０〜１５℃に昇温し、同温度で１時間反応した。続いて濃塩酸を滴下し、ｐＨ０．９〜１．０に調整した。この間、温度が上昇しない様に氷を添加しながら１０〜１５℃の温度を保持した。更に氷を添加し１０℃以下にした。この時、液量は１３０００部であった。この反応液に塩化ナトリウム２６００部（対液２０％）を加え、１時間攪拌し固体を析出させた。析出した固体を濾過分取し、２０％塩化ナトリウム水溶液３０００部で洗浄することによりウェットケーキを７４３．０部得た（目的物の含有量：５９．３％、ＨＰＬＣ純度：９３．３％）。
【０１１９】
（２）
下記式（１５）で表される、前記式（１２）における環Ａ乃至Ｄのうち、２．０がピラジン環で残り２．０がベンゼン環である混合物の合成。
【０１２０】
【化１５】
2010007019.tif 000018
【０１２１】
四つ口フラスコに、スルホラン２５０部、無水フタル酸１４．８部、ピラジン−２，３−ジカルボン酸１６．８部、尿素７２．０部、塩化ニッケル（ＩＩ）・６水和物１２．１部、モリブデン酸アンモニウム１．０部を加え、２００℃まで昇温し、同温度で５時間反応した。反応終了後７５℃へ冷却し、メタノール２００部を加えて析出した固体を濾過分取した。得られた固体をメタノール２５０部、温水５００部で順次洗浄し、ウェットケーキ３１．０部を得た。得られたウェットケーキ全量を５％塩酸５００部中に加え、６０℃に昇温し、同温度で１時間攪拌した後、析出固体を濾過分取し、さらに水３００部で洗浄し、ウェットケーキを得た。得られたウェットケーキ全量を１０％アンモニア水５００部中に加え、２５〜３０℃で１時間攪拌した。析出固体を濾過分取し、水３００部で洗浄し、ウェットケーキ２２．８８部を得た。得られたウェットケーキを８０℃で乾燥することにより、目的とする混合物の緑青色固体１２．９部を得た。
【０１２２】
（３）
下記式（１６）で表される、前記式（１３）における環Ａ乃至Ｄのうち２．０がピラジン環、残り２．０がベンゼン環であり、ｎが２．０である混合物。
【０１２３】
【化１６】
2010007019.tif 000019
【０１２４】
クロロスルホン酸４８．４部中に攪拌しながら６０℃以下で、上記実施例１（２）で得られたニッケルジベンゾビス（２，３−ピラジノ）ポルフィラジン６．１部を徐々に仕込み、１４５℃で４時間反応を行った。次に反応液を７０℃まで冷却し、塩化チオニル１７．９部を３０分間かけて滴下た後、８０℃で３時間反応を行った。反応液を３０℃以下に冷却し、氷水５００部中にゆっくりと注ぎ、析出している固体を濾過分取し、冷水２００部で洗浄することにより、目的とする混合物のウェットケーキ３７．０部を得た。
【０１２５】
（４）
下記式（１７）で表される本発明の色素（Ｉ）の合成：前記式（１）における環Ａ乃至Ｄのうち、２．０がピラジン環、残り２．０がベンゼン環であり、基Ｅがエチレン、Ｘが２，５−ジスルホアニリノ、Ｙがアミノである混合物（表２におけるＮｏ．２−１の混合物）。
【０１２６】
【化１７】
2010007019.tif 000020
【０１２７】
氷水２００部中に、上記実施例１（３）で得られた上記式（１６）で表される混合物のウェットケーキ３７．０部を加えて懸濁液を得た。一方、アンモニア水３．０部、及び温水１００部に、実施例１（１）で得られた式（１４）の化合物２０．５部を溶解し、この溶液を上記の式（１６）を含有する懸濁液に加えた。この液を、２８％アンモニア水の添加によりｐＨ９．０〜９．３に保持し、１７〜２０℃で６時間反応を行った後、６０℃に昇温した。この時の液量は６００部であった。この液に塩化ナトリウム１２０部（対液２０％）を加え、３５％塩酸を添加してｐＨ１．０に調整し、固体を析出させた。析出固体を濾過分取し、２０％塩化ナトリウム水溶液１００部で洗浄し、ウェットケーキ３３．４部を得た。得られたウェットケーキを水に溶解させ、２５％水酸化ナトリウムにてｐＨ９．０に調整後、水を添加し全量を４００部に調整した後、６０℃に昇温した。塩化ナトリウム８０部（対液２０％）、及び３５％塩酸を添加してｐＨを１．０に調整し、固体を析出させた。析出固体を濾過分取し、１５％塩化ナトリウム水溶液１００部で洗浄し、ウェットケーキ４３．０部を得た。得られたウェットケーキ４３．０部を２０％含水メタノール４３０部中に加え、６０℃で１時間攪拌した後、析出固体を濾過分取し、メタノール１００部で洗浄後、乾燥することにより、本発明の色素（Ｉ）である目的化合物のナトリウム塩の緑青色固体２１．０部を得た。この色素は、水に対して１００ｇ／Ｌ以上の溶解度を示した。また、水溶液中でのλｍａｘは６０６ｎｍであった。
【０１２８】
特許文献１の実施例２−６に記載の方法を追試することにより、下記式（１８）で表される色素（ＩＩ）を、同様に特許文献２の合成例４に記載の方法を追試することにより、前記式（１０）で表される色素（ＩＩＩ）をそれぞれ得た。なお、上記の通り、該色素（ＩＩ）及び（ＩＩＩ）は、本発明の黒色インク組成物における色素（Ｉ）の調色色素として好ましく用いられる。
【０１２９】
【化１８】
2010007019.tif 000021
【０１３０】
（Ａ）インクの調製
実施例２
下記表７に記載の各成分を混合することにより本発明のインク組成物を調製し、０．４５μｍのメンブランフィルターで濾過する事によりインクジェット用のインクを得た。また水はイオン交換水を使用した。尚、インク組成物のｐＨがｐＨ＝８〜１０になるように１．０％水酸化ナトリウムで調整し、総量１００．０部となるように水を加えた。このインクの調製を実施例２とする。得られたインクは、貯蔵中に、また長期間保存後においても沈殿分離が生ぜず物性の変化は生じなかった。
【０１３１】
表７
実施例１で得られた色素  ：色素（Ｉ）                    ３．２５部
式（１８）で表される色素：色素（ＩＩ）                    １．０部
式（１０）で表される色素：色素（ＩＩＩ）                ０．７５部
グリセリン                                                ５．０部
尿素                                                      ５．０部
Ｎ−メチル−２−ピロリドン                                ４．０部
イソプロピルアルコール                                    ３．０部
ブチルカルビトール                                        ２．０部
界面活性剤                                                ０．１部
（商品名サーフィノール１０４  日信化学社製）
水＋水酸化ナトリウム                                    ７５．９部
計                                                  １００．０部
【０１３２】
比較例１
比較対象のインクとして、下記表８に記載の各成分を混合することにより、特許文献１の実施例３−２に記載の組成比のインクを調製した。このインクの調製を比較例１とする。比較例１のインクは、本発明のインクと比較して、調色色素である色素（ＩＩ）及び（ＩＩＩ）は同一であり、色素（Ｉ）のみを下記式（１９）で表される色素に置き換えたものである。なお、メンブランフィルターを用いた濾過、及びインクのｐＨ調整については上記実施例２と同様に行った。また、下記式（１９）で表される色素は、特許文献１の合成例１を追試することにより得た。
【０１３３】
表８
式（１９）で表される色素                                  １．３部
式（１８）で表される色素：色素（ＩＩ）                  ２．３５部
式（１０）で表される色素：色素（ＩＩＩ）                １．３５部
グリセリン                                                ５．０部
尿素                                                      ５．０部
Ｎ−メチル−２−ピロリドン                                ４．０部
イソプロピルアルコール                                    ３．０部
ブチルカルビトール                                        ２．０部
界面活性剤                                                ０．１部
（商品名サーフィノール１０４  日信化学社製）
水＋水酸化ナトリウム                                    ７５．９部
計                                                  １００．０部
【０１３４】
【化１９】
2010007019.tif 000022
【０１３５】
比較例２
特許文献３の実施例１に記載のインク組成物を参考に下記表９に記載の各成分を混合することにより、比較用のインクを調製した。この比較用インクの調製を比較例２とする。比較例２のインクが含有する３種類の色素は、いずれも本発明の色素（Ｉ）乃至（ＩＩＩ）とは異なるが、本発明と同様に、該文献によればインクジェット記録に適する色相を有し、且つ記録物の堅牢度が強いブラックの水性インク組成物及びそれに適するブラック色素の提供を目的としたものとされる。また、比較例２のインクは、実施例２のインクと同様にインク調製剤である界面活性剤０．１部を新たに添加し、これに伴い「水＋水酸化ナトリウム」の量を７６．０部から７５．９部に減量した以外は、特許文献３の実施例１に記載のインク組成物と同じ組成を有する。なお、メンブランフィルターを用いた濾過、及びインクのｐＨ調整については上記実施例２と同様に行った。
【０１３６】
表９
Ｃ．Ｉ．Ｄｉｒｅｃｔ  Ｂｌｕｅ  １９９                    ２．１部
特許文献３の式（１）の色素                                １．８部
特許文献３の式（３）の色素                                １．１部
グリセリン                                                ５．０部
尿素                                                      ５．０部
Ｎ−メチル−２−ピロリドン                                ４．０部
イソプロピルアルコール                                    ３．０部
ブチルカルビトール                                        ２．０部
界面活性剤                                                ０．１部
（商品名サーフィノール１０４  日信化学社製）
水＋水酸化ナトリウム                                    ７５．９部
計                                                  １００．０部
【０１３７】
（Ｂ）インクジェット記録
上記で得た実施例及び各比較例のインクを使用し、Ｃａｎｏｎ社製インクジェットプリンター、商品名ＰＩＸＵＳ  ｉＰ４１００により、光沢紙１（セイコーエプソン社製、商品名  写真用紙クリスピア＜高光沢＞  ＫＡ４２０ＳＣＫ）、光沢紙２（セイコーエプソン社製、商品名  写真用紙＜光沢＞  ＫＡ４２０ＰＳＫ）の２種の被記録材（情報伝達用シート）にインクジェットプリントを行った。印刷の際は、反射濃度が数段階の階調で得られるように画像パターンを作り、濃黒色から淡いグレーの印刷物を得た。
【０１３８】
（Ｃ）記録画像の評価
実施例２、比較例１及び比較例２のインクを用いて得られた各記録画像は、耐オゾンガス性及び耐光性のそれぞれに対して、試験前後の画像のブラックの色差ΔＥについて測定を行った。
色差ΔＥの測定は、試験前の記録画像の黒色の反射濃度Ｄｋ値が０．９〜１．６の範囲の濃度階調部分を測色することにより行った。尚、測色光源はＤ６５を、濃度フィルターはＤＩＮ、視野角は２°とした。色差ΔＥの算出については、ＣＩＥのＬ＊、ａ＊、ｂ＊を測定し、下記式を用いて色差ΔＥを算出した。なお、ΔＬ＊、Δａ＊及びΔｂ＊は、それぞれ試験前後のＬ＊、ａ＊及びｂ＊の差を意味する。
ΔＥ＝［（ΔＬ＊）2＋（Δａ＊）2＋（Δｂ＊）2］1/2
試験結果は以下の基準で評価し、結果を下記表１０に示した。なお、ΔＥは小さい方が、より優れた結果を意味する。
【０１３９】
１）耐オゾンガス性試験
スガ試験機社製、商品名  オゾンウェザオメーターを用いてオゾン濃度を４０ｐｐｍ、湿度５０％ＲＨ、温度２３℃の条件下で各プリント画像を８時間放置した。試験終了後、上記の測色機を用いて測色し、各プリント画像の試験前後の色差ΔＥを求めた。試験結果は、以下の基準で評価を行った。
○：ΔＥが１０未満
△：ΔＥが１０以上で２０未満
×：ΔＥが２０以上
【０１４０】
２）耐光性試験
スガ試験機（株）社製、商品名  低温キセノンウェザオメーターＸＬ７５を用い、１０万Ｌｕｘ照度、湿度６０％ＲＨ、温度２４℃の条件で上記の各プリント画像に対して９６時間照射を行った。試験終了後、上記の測色機を用いて測色し、各プリント画像の試験前後の色差ΔＥを求めた。試験結果は、以下の基準で評価を行った。
○：ΔＥが５未満
△：ΔＥが５以上で１０未満
×：ΔＥが１０以上
【０１４１】
表１０
耐オゾンガス性    耐光性
光沢紙１
実施例１                    ○            ○
比較例１                    ×            △
比較例２                    ×            △
光沢紙２
実施例１                    ○            ○
比較例１                    ×            △
比較例２                    ×            △
【０１４２】
表１０の結果より明らかなように、いずれの比較例と比較しても、実施例１の記録画像は耐オゾンガス性及び耐光性に優れ、特に耐オゾンガス性に優れることが判明した。
以上の結果から、少なくとも特定の上記式（１）で表される色素（Ｉ）を、好ましくは特定の上記式（２）で表される色素（ＩＩ）及び式（３）で表される色素（ＩＩＩ）を調色色素として含有する本発明の黒色インク組成物により得られた記録画像の堅牢度はインクジェットプリント画像に要求される耐オゾンガス性と耐光性に優れていることがわかる。
【産業上の利用可能性】
【０１４３】
本発明のインク組成物はインクジェット記録用、筆記用具用ブラックインクとして好適に用いられる。